(57)【要約】【課題】  部品の組立を容易に行うことができるとともに、組立後においてもニードル弁の摺動不良を無くすことができる燃料噴射弁を提供することを目的とする。【解決手段】  燃料噴射弁１の各部品を収容するためにパイプ１４を設けるとともに、ソレノイド装置及びパイプ１４の外周にハウジング２を設け、アマチュア５とパイプ１４との摺動範囲Ｂ以外の部分において、パイプ１４の外周に突起１４ａを設け、この突起１４ａによりパイプ１４をハウジング２に対し圧入して取り付けることにより、アマチュア５とパイプ１４との摺動範囲Ｂにおいては、パイプ１４の内面が変形しないので、アマチュア５の摺動に影響を及ぼさない。【選択図】        図１
2007009764.tif 000002
【特許請求の範囲】
【請求項１】
バルブシートに離接して噴射口を開閉する弁体が結合されたアマチュアと、このアマチュアを移動させるためのソレノイド装置と、上記アマチュアと上記ソレノイド装置との間に設けられたパイプと、上記ソレノイド装置及び上記パイプの外周に設けられたハウジングとを有する燃料噴射弁において、上記アマチュアと上記パイプとの摺動範囲以外の部分であって、上記パイプの外周に突起を設け、上記パイプを上記ハウジング対して圧入したことを特徴とする燃料噴射弁。
【発明の詳細な説明】
【技術分野】
【０００１】
この発明は、燃料噴射弁に関するものである。
【背景技術】
【０００２】
従来の燃料噴射弁においては、部品の組立工程において、パイプの外周側に電磁コイル及びハウジングを装着し、パイプの先端部とハウジングの外周面とを溶接により固定していたものがあった（特許文献１参照）。
【０００３】
【特許文献１】特開２００２−２７６５０５号公報
【発明の開示】
【発明が解決しようとする課題】
【０００４】
従来の燃料噴射弁は以上のように構成されていたので、パイプの先端部とハウジングの外周面とを溶接しなければならず、溶接作業は手間がかかるため、燃料噴射弁を効率よく製造することが困難であるという問題点があった。
【０００５】
更にパイプに対しハウジングを圧入することにより固定した場合、効率よく組み立てることができるようになるが、圧入することによって、ニードル弁を摺動させる役割を有するパイプの内径部が変形してしまい、ニードル弁の摺動に支障をきたしてしまうという問題点があった。
【０００６】
この発明は上記のような課題を解決するためになされたものであり、部品の組立を容易に行うことができるとともに、組立後においてもニードル弁の摺動不良を無くすことができる燃料噴射弁を提供することを目的とする。
【課題を解決するための手段】
【０００７】
この発明に係る燃料噴射弁は、バルブシートに離接して噴射口を開閉する弁体が結合されたアマチュアと、このアマチュアを移動させるためのソレノイド装置と、アマチュアとソレノイド装置との間に設けられたパイプと、ソレノイド装置及びパイプの外周に設けられたハウジングとを有するものであって、アマチュアとパイプとの摺動範囲以外の部分であって、パイプの外周に突起を設け、パイプをハウジング対して圧入したものである。
【発明の効果】
【０００８】
この発明に係る燃料噴射弁によれば、バルブシートに離接して噴射口を開閉する弁体が結合されたアマチュアと、このアマチュアを移動させるためのソレノイド装置と、アマチュアとソレノイド装置との間に設けられたパイプと、ソレノイド装置及びパイプの外周に設けられたハウジングとを有するものであって、アマチュアとパイプとの摺動範囲以外の部分であって、パイプの外周に突起を設け、パイプをハウジングに対して圧入したので、部品の組立を容易に行うことができるとともに、組立後においてもニードル弁の摺動不良を無くすことができる。
【発明を実施するための最良の形態】
【０００９】
実施の形態１．
図１はこの発明の実施の形態１による燃料噴射弁を示す断面図であり、図において、燃料噴射弁１にはハウジング２が設けられ、このハウジング２の先端には、Оリング３が装着されている。コア４に対向してアマチュア５が設けられ、コア４の内部にはスプリング６が嵌装され、このスプリング６によってアマチュア５が閉弁方向に付勢されている。
【００１０】
又コア４の内部にはスプリング６のばね力を調整するためのアジャスター７が挿入されており、コア４とハウジング２の間には、磁気回路を形成するための電磁コイル８がボビン９により覆われて挿入されることにより、ソレノイド装置を構成している。電磁コイル８には、ターミナル１０を介して駆動用の電気信号が印加される。アマチュア５の一端には弁体となるニードルバルブ１１が結合されており、このニードルバルブ１１はニードル部１１ａとボール弁体１１ｂとから構成されている。
【００１１】
燃料噴射弁１の先端部には燃料噴射口を有するバルブシート１２及びノズルプレート１３が設けられており、ニードルバルブ１１がバルブシート１２に離接することにより、燃料噴射口を開閉する。又ハウジング２とアマチュア５の間にはパイプ１４が設けられており、このパイプ１４内にバルブシート１２等の各部品が同軸度を保って収容されている。以上のように構成された燃料噴射弁１はインテークマニホールドにおけるボス部に取り付けられるものである。
【００１２】
本発明による燃料噴射弁の基本動作について以下説明する。
電磁コイル８に電気信号が印加されると、スプリング６の復帰力に打ち勝ってニードルバルブ１１がアマチュア５とともにコア４側に移動し、ボール弁体１１ｂがバルブシート１２から離れるため開弁し、燃料が吸気管内に噴射される。そして電磁コイル８に印加された電気信号を遮断すると、スプリング６の復帰力により、ニードルバルブ１１はバルブシート１２側に移動するので閉弁されることになる。
【００１３】
図２は図１におけるＡ部を示す拡大断面図である。本発明においては、アマチュア５とパイプ１４との摺動範囲Ｂ以外の部分において、パイプ１４の外周に突起１４ａを設け、パイプ１４をハウジング２に対し圧入して取り付けるものである。
【００１４】
このように構成することにより、パイプ１４をハウジング２に対し圧入しても、アマチュア５とパイプ１４との摺動範囲Ｂにおいては、パイプ１４の内面が変形しないので、アマチュア５の摺動に影響を及ぼさない。突起１４ａは絞り加工により、パイプ１４の外周にリング状に形成される。
【００１５】
尚必ずしも突起１４ａはリング状である必要はなく、パイプ１４の外周に沿って不連続になるように形成してもよい。更にアマチュア５とパイプ１４との摺動範囲Ｂ以外の部分であれば、突起１４ａを複数個設けてもよく、又突起１４ａの形状はどのようなものであってもよい。又ハウジング２側に突起を設けることも可能であるが、パイプ１４が傷付くこととなり、バルブシート１２等の同軸度に影響するので好ましくない。
【００１６】
上記のように本発明によれば、燃料噴射弁の部品同士を圧入によって固定したので、容易に組み立てることができる。又部品組立工程において溶接作業がなくなるので、容易に組立を行うことができるようになり、燃料噴射弁を効率的に製造することができるようになる。
【図面の簡単な説明】
【００１７】
【図１】図１はこの発明の実施の形態１による燃料噴射弁を示す断面図である。
【図２】図１におけるＡ部を示す拡大断面図である。
【符号の説明】
【００１８】
１  燃料噴射弁、２  ハウジング、５  アマチュア、１１  ニードルバルブ、
１２  バルブシート、１４  パイプ、１４ａ  突起。
【図１】
2007009764.tif 000003
【図２】
2007009764.tif 000004